【手続補正書】
【提出日】平成18年4月24日(2006.4.24)
【手続補正１】
【補正対象書類名】明細書
【補正対象項目名】特許請求の範囲
【補正方法】変更
【補正の内容】
【特許請求の範囲】
【請求項１】
スピーカを有し、天井の照明器具の取付け接続部に接続されるとともに下部に照明器具が取付けられるようにした再生ユニットを備え、
前記再生ユニットが、前記取付け接続部を介して供給される電源に重畳された音声信号を取り出して、前記スピーカを駆動するためのデコーダを有することを特徴とするオーディオ装置。
【請求項２】
オーディオソースを備え、前記天井の取付け接続部と接続される電源配線を介して電源ラインにオーディオソースからの音声信号をエンコードミキサによって重畳することを特徴とする請求項１に記載のオーディオ装置。
【請求項３】
前記デコーダが、磁気カップリングを介して前記電源から音声信号を取出して復調し、前記スピーカを駆動することを特徴とする請求項１に記載のオーディオ装置。
【請求項４】
天井の照明器具の取付け接続部にこのオーディオ装置のサラウンドスピーカま
たはリヤスピーカを有する再生ユニットを取付け、
前記再生ユニットの取付け接続部を介して照明器具を取付けることを特徴とす
るオーディオ装置。
【請求項５】
前記再生ユニットが左右一対のサラウンドスピーカまたはリヤスピーカを有す
ることを特徴とする請求項４に記載のオーディオ装置。
【請求項６】
前記再生ユニットに設けられている左右一対のサラウンドスピーカまたリヤス
ピーカが互いに逆方向であって斜め側方に向いて取付けられることを特徴とする
請求項５に記載のオーディオ装置。
【請求項７】
前記再生ユニットに設けられている左右一対のサラウンドスピーカまたはリヤ
スピーカが斜め上方に向けて取付けられることを特徴とする請求項５に記載のオ
ーディオ装置。
【請求項８】
前記再生ユニットに設けられている左右一対のサラウンドスピーカまたはリヤ
スピーカからの再生音がリスナの後方の壁面または天井で反射されることを特徴
とする請求項５に記載のオーディオ装置。
【請求項９】
左右のサラウンドスピーカまたはリヤスピーカがそれぞれ独立の再生ユニットに取付けられ、しかも前記一対の再生ユニットが天井に離間して設けられている一対の照明器具の取付け接続部にそれぞれ取付けられ、それぞれの再生ユニットの取付け接続部に照明器具が取付けられることを特徴とする請求項４に記載のオーディオ装置。
【請求項１０】
左右のサラウンドスピーカまたはリヤスピーカを取付けた一対の再生ユニットがリスナに対してその左右両側に位置することを特徴とする請求項９に記載のオーディオ装置。
【請求項１１】
左右のサラウンドスピーカまたはリヤスピーカからの再生音がリスナの後方の壁面で反射されることを特徴とする請求項１０に記載のオーディオ装置。
【請求項１２】
サラウンドスピーカまたはリヤスピーカを有し、天井の照明器具の取付け接続部に接続されるとともに下部に照明器具を取付けられるようにした再生ユニットを備え、
前記再生ユニットが、光を媒体とする送信手段によって供給されかつ光に重畳された音声信号を抜き出して前記スピーカに供給することを特徴とするオーディオ装置。
【請求項１３】
音声信号が重畳される光が赤外線であることを特徴とする請求項１２に記載のオーディオ装置。
【請求項１４】
サラウンドスピーカまたはリヤスピーカを有し、天井の照明器具の取付け接続部に接続されるとともに下部に照明器具を取付けられるようにした再生ユニットを備え、
前記再生ユニットが、電波を媒体とする送信手段によって供給された電波を受信し復調して前記スピーカに音声信号を供給するための受信回路を備えることを特徴とするオーディオ装置。
【請求項１５】
オーディオソースからの音声信号を変調して無線で前記再生ユニットに送信することを特徴とする請求項１４に記載のオーディオ装置。
【手続補正２】
【補正対象書類名】明細書
【補正対象項目名】０００９
【補正方法】変更
【補正の内容】
【０００９】
【課題を解決するための手段】
本願の主要な発明は、  スピーカを有し、天井の照明器具の取付け接続部に接続されるとともに下部に照明器具が取付けられるようにした再生ユニットを備え、
前記再生ユニットが、前記取付け接続部を介して供給される電源に重畳された音声信号を取り出して、前記スピーカを駆動するためのデコーダを有することを特徴とするオーディオ装置に関するものである。
【手続補正３】
【補正対象書類名】明細書
【補正対象項目名】００１０
【補正方法】変更
【補正の内容】
【００１０】
ここで、オーディオソースを備え、前記天井の取付け接続部と接続される電源配線を介して電源ラインにオーディオソースからの音声信号をエンコードミキサによって重畳することが好ましい。また前記デコーダが、磁気カップリングを介して前記電源から音声信号を取出して復調し、前記スピーカを駆動することが好ましい。
【手続補正４】
【補正対象書類名】明細書
【補正対象項目名】００１３
【補正方法】変更
【補正の内容】
【００１３】
さらに別の発明は、
左右のサラウンドスピーカまたはリヤスピーカがそれぞれ独立の再生ユニットに取付けられ、しかも前記一対の再生ユニットが天井に離間して設けられている一対の照明器具の取付け接続部にそれぞれ取付けられ、それぞれの再生ユニットの取付け接続部に照明器具が取付けられるようにしたオーディオ装置に関するものである。
【手続補正５】
【補正対象書類名】明細書
【補正対象項目名】００１５
【補正方法】変更
【補正の内容】
【００１５】
本願のさらに別の主要な発明は、サラウンドスピーカまたはリヤスピーカを有し、天井の照明器具の取付け接続部に接続されるとともに下部に照明器具を取付けられるようにした再生ユニットを備え、
前記再生ユニットが、光を媒体とする送信手段によって供給されかつ光に重畳された音声信号を抜き出して前記スピーカに供給することを特徴とするオーディオ装置に関するものである。ここで、音声信号が重畳される光が赤外線であることが好ましい。
【手続補正６】
【補正対象書類名】明細書
【補正対象項目名】００１６
【補正方法】変更
【補正の内容】
【００１６】
本願のさらに別の主要な発明は、サラウンドスピーカまたはリヤスピーカを有し、天井の照明器具の取付け接続部に接続されるとともに下部に照明器具を取付けられるようにした再生ユニットを備え、
前記再生ユニットが、電波を媒体とする送信手段によって供給された電波を受信し復調して前記スピーカに音声信号を供給するための受信回路を備えることを特徴とするオーディオ装置に関するものである。ここで、オーディオソースからの音声信号を変調して電波によって無線で前記再生ユニットに送信することが好ましい。
【手続補正７】
【補正対象書類名】明細書
【補正対象項目名】００３８
【補正方法】変更
【補正の内容】
【００３８】
【発明の効果】
本願の主要な発明は、スピーカを有し、天井の照明器具の取付け接続部に接続されるとともに下部に照明器具が取付けられるようにした再生ユニットを備え、再生ユニットが、取付け接続部を介して供給される電源に重畳された音声信号を取り出して、スピーカを駆動するためのデコーダを有するようにしたものである。
【手続補正８】
【補正対象書類名】明細書
【補正対象項目名】００４２
【補正方法】変更
【補正の内容】
【００４２】
本願のさらに別の主要な発明は、サラウンドスピーカまたはリヤスピーカを有し、天井の照明器具の取付け接続部に接続されるとともに下部に照明器具を取付けられるようにした再生ユニットを備え、再生ユニットが、光を媒体とする送信手段によって供給されかつ光に重畳された音声信号を抜き出してスピーカに供給するようにしたのものである。